(57)【特許請求の範囲】
【請求項１】
掃除機本体に設けられた集塵室に着脱可能な集塵ケースを備えた電気掃除機において、
前記集塵ケースは、開口を有するケースと、前記ケースの開口を塞ぐ閉塞部材とを備え、
前記閉塞部材の一端部側が前記ケースに回動自在に支持され、
前記閉塞部材は、前記ケースに対して開く方向に付勢され、
前記閉塞部材は、前記閉塞部材の他端部側が前記ケースに係止されることによって、前記ケースに対して閉じた状態に保持されるようになっており、
前記集塵ケースは、前記閉塞部材が前記ケースに対して閉じられる際に前記閉塞部材の他端部側が前記ケースの開口断面の外周側へ変位するのをガイドする手段を備えており、
前記閉塞部材は、可撓性、弾性を有するヒンジ部材を介し、前記ケースの開口に対して位置調整可能に支持されていることを特徴とする電気掃除機。
【請求項２】
掃除機本体に設けられた集塵室に着脱可能な集塵ケースを備えた電気掃除機において、
前記集塵ケースは、開口を有するケースと、前記ケースの開口を塞ぐ閉塞部材とを備え、
前記閉塞部材の一端部側が前記ケースに回動自在に支持され、
前記閉塞部材は、前記ケースに対して開く方向に付勢され、
前記閉塞部材は、前記閉塞部材の他端部側が前記ケースに係止されることによって、前記ケースに対して閉じた状態に保持されるようになっており、
前記閉塞部材は、前記閉塞部材から前記ケースの開口の縁の外周面に向けて延設された延設部を備え、
前記延設部は、前記閉塞部材が前記ケースに対して閉じられる際に前記ケースの開口の縁または前記ケースの開口の縁の外周面に接触するようになっており、
前記閉塞部材は、可撓性、弾性を有するヒンジ部材を介し、前記ケースの開口に対して位置調整可能に支持されていることを特徴とする電気掃除機。
【請求項３】
請求項２に記載の電気掃除機において、
前記延設部は、前記ケースの開口の縁または前記ケースの開口の縁の外周面に接触する端面を有しており、
前記端面は、前記ケースの開口面に垂直な方向に対して、前記閉塞部材側から前記ケースの開口の縁の外周面側に向けて傾斜していることを特徴とする電気掃除機。
【請求項４】
請求項２または請求項３に記載の電気掃除機において、
前記閉塞部材の他端部側の外周面に形成された凹部または凸部または段差部と、
前記ケースに形成され、前記凹部または凸部または段差部に向けて延設された係合部と、を備え、
前記凹部または凸部または段差部に対して前記係合部が係合されることによって、前記閉塞部材の他端部側が前記ケースに係止されることを特徴とする電気掃除機。
【請求項５】
掃除機本体に設けられた集塵室に着脱可能な集塵ケースを備えた電気掃除機において、
前記集塵ケースは、開口を有するケースと、前記ケースの開口を塞ぐ閉塞部材とを備え、
前記閉塞部材の一端部側が前記ケースに回動自在に支持され、
前記閉塞部材は、前記ケースに対して開く方向に付勢され、
前記閉塞部材は、前記閉塞部材の他端部側が前記ケースに係止されることによって、前記ケースに対して閉じた状態に保持されるようになっており、
前記ケースは、前記ケースの開口の縁から前記閉塞部材の縁に形成された凹部に向けて延設されたケース側延設部を備え、
前記ケース側延設部は、前記閉塞部材が前記ケースに対して閉じられる際に前記閉塞部材の前記凹部に接触するようになっており、
前記閉塞部材は、可撓性、弾性を有するヒンジ部材を介し、前記ケースの開口に対して位置調整可能に支持されていることを特徴とする電気掃除機。
【発明の詳細な説明】
【技術分野】
【０００１】
本発明は、電気掃除機に関し、特に、集塵ケースに集塵された塵埃の排出および集塵ケースの清掃が容易で使い勝手のよい電気掃除機に関するものである。
【背景技術】
【０００２】
従来、集塵ケースに集塵された塵埃の排出を容易にした電気掃除機として、例えば、特許文献１に記載されたものが知られている。
【０００３】
特許文献１に記載された電気掃除機では、掃除機の本体ケースに着脱自在な集塵ケース（ケース）を備え、集塵ケース内に塵埃収容器が設けられている。
集塵ケースは、下流側に塵埃の濾過を目的としたフィルター部を備え、その上流側に塵埃収容器が配置されている。集塵ケースの開口には、開口を塞ぐ閉塞部材が回動自在に支持されている。この閉塞部材は、ケースに対して開く方向に付勢されており、ケースに対して閉じられた状態で保持されるように構成されている。
そして、この電気掃除機では、塵埃収容器に集塵された塵埃が一杯になったら、本体ケースから集塵ケースを外し、閉塞部材を開ける操作を行うことで、閉塞部材がケースから開き、塵埃収容器に溜まった塵埃の排出が可能となる。
【先行技術文献】
【特許文献】
【０００４】
【特許文献１】特開２００９−３２０号公報
【発明の概要】
【発明が解決しようとする課題】
【０００５】
特許文献１の電気掃除機では、集塵ケースの開口を塞ぐ閉塞部材がケースに対して開く方向に付勢されているので、塵埃の排出を好適に行うことができる。その一方で、閉塞部材はケースに対して閉じられた状態で保持されるように構成されており、ケースに対して閉塞部材が不意に開いてしまうことが防止されていた。
ところで、ケースに対して閉塞部材が不意に開いてしまうと、塵埃がケースから飛び出して散らかるおそれがあり、衛生上望ましくない。そのため、閉塞部材が開いてしまうのをより一層確実に防止した電気掃除機の開発が望まれていた。
【０００６】
そこで、本発明は、前記課題を解決するものであり、ケースの開口を塞ぐ閉塞部材がケースに対して不意に開くのを好適に防止することができ、使い勝手を向上させた電気掃除機を提供することにある。
【課題を解決するための手段】
【０００７】
前記課題を解決するために、本発明の電気掃除機は、掃除機本体に設けられた集塵室に着脱可能な集塵ケースを備えた電気掃除機において、前記集塵ケースは、開口を有するケースと、前記ケースの開口を塞ぐ閉塞部材とを備え、前記閉塞部材の一端部側が前記ケースに回動自在に支持され、前記閉塞部材は、前記ケースに対して開く方向に付勢され、前記閉塞部材は、前記閉塞部材の他端部側が前記ケースに係止されることによって、前記ケースに対して閉じた状態に保持されるようになっており、前記集塵ケースは、前記閉塞部材が前記ケースに対して閉じられる際に前記閉塞部材の他端部側が前記ケースの開口断面の外周側へ変位するのをガイドする手段を備えており、前記閉塞部材は、可撓性、弾性を有するヒンジ部材を介し、前記ケースの開口に対して位置調整可能に支持されていることを特徴とする。
【０００８】
この電気掃除機によれば、ケースに対して閉塞部材が閉じられる際に、ガイドする手段により、閉塞部材の他端部側がケースの開口断面の外周側へ変位するようになっているので、係止される側となる閉塞部材の他端部側がケースに確実に係止されることとなり、閉塞部材がケースに対して閉じた状態に保持されるようになる。
したがって、ケースに対して閉塞部材が不意に開くのを好適に防止することができる。
【０００９】
また、本発明の電気掃除機は、掃除機本体に設けられた集塵室に着脱可能な集塵ケースを備えた電気掃除機において、前記集塵ケースは、開口を有するケースと、前記ケースの開口を塞ぐ閉塞部材とを備え、前記閉塞部材の一端部側が前記ケースに回動自在に支持され、前記閉塞部材は、前記ケースに対して開く方向に付勢され、前記閉塞部材は、前記閉塞部材の他端部側が前記ケースに係止されることによって、前記ケースに対して閉じた状態に保持されるようになっており、前記閉塞部材は、前記閉塞部材から前記ケースの開口の縁の外周面に向けて延設された延設部を備え、前記延設部は、前記閉塞部材が前記ケースに対して閉じられる際に前記ケースの開口の縁または前記ケースの開口の縁の外周面に接触するようになっており、前記閉塞部材は、可撓性、弾性を有するヒンジ部材を介し、前記ケースの開口に対して位置調整可能に支持されていることを特徴とする。
【００１０】
この電気掃除機によれば、ケースに対して閉塞部材が閉じられる際に、閉塞部材からケースの開口の縁の外周面に向けて延設された延設部が、ケースの開口の縁または前記ケースの開口の縁の外周面に接触するようになり、この接触によって係止される側となる閉塞部材の他端部側がケースに確実に係止されることとなる。これによって、閉塞部材がケースに対して閉じた状態に保持されるようになる。
したがって、ケースに対して閉塞部材が不意に開くのを好適に防止することができる。
なお、前記ケースは、前記ケースの開口の縁部から前記閉塞部材の縁部に形成された凹部に向けて延設されたケース側延設部を備え、前記ケース側延設部は、前記閉塞部材が前記ケースに対して閉じられる際に前記閉塞部材の前記凹部に接触するように構成してもよい。
【発明の効果】
【００１１】
本発明によれば、ケースの開口を塞ぐ閉塞部材がケースに対して不意に開くのを好適に防止することができ、使い勝手を向上させた電気掃除機が得られる。
【図面の簡単な説明】
【００１２】
【図１】本発明の一実施形態の電気掃除機を示した外観斜視図である。
【図２】掃除機本体を示した斜視図である。
【図３】集塵ケースを示した斜視図である。
【図４】（ａ）集塵ケースを示した断面図、（ｂ）は要部の模式拡大断面である。
【図５】集塵ケースを示した正面図である。
【図６】集塵ケースを示した平面図である。
【図７】蓋部材を開いた状態の集塵ケースを示した斜視図である。
【図８】開いた状態の塵埃収容器を示した斜視図である。
【図９】蓋部材を開いた状態の集塵ケースを示した正面図である。
【図１０】蓋部材を開いた状態の集塵ケースを示した断面図である。
【図１１】（ａ）〜（ｃ）は、蓋部材を閉じるときの延設部の係止の様子を示す模式拡大断面図である。
【図１２】（ａ）（ｂ）は延設部のその他の例を示す模式平面図である。
【図１３】（ａ）は蓋部材の側部にも延設部を設けた例を示す模式正面図、（ｂ）は凹部と突部とを設けた例を示す模式平面図である。
【図１４】（ａ）（ｂ）は延設部のその他の例を示す模式拡大断面図、（ｃ）はケース部材の開口の縁側から蓋部材の縁に形成された凹部に向けてケース側延設部を延設した例を示す模式拡大断面図である。
【発明を実施するための形態】
【００１３】
以下、本発明の一実施形態について添付図面を参照して説明する。
図１に示すように、電気掃除機１は、掃除機本体２と、ホース３と、手元操作スイッチＳＷ等が設けられた操作管４と、継手管（管）としての延長管５と、第１の吸込具６および第２の吸込具７とを備えて構成されている。第１の吸込具６の根元部に第２の吸込具７の先端部が接続され、第２の吸込具７の根元部に延長管５の先端部が接続され、延長管５の根元部に操作管４の先端部が接続され、操作管４の根元部にホース３が接続され、ホース３の根元部が掃除機本体２の前端部に接続される。なお、第２の吸込具７は、延長管５と操作管４との間に接続してもよく、しなくてもよい。
【００１４】
掃除機本体２の内部には、吸引力を発生させる図示しない電動送風機や、この電動送風機の吸引力で吸引した塵埃を捕集する集塵ケース１０（図２参照）等が内蔵されており、操作管４に設けられた手元操作スイッチＳＷの操作等によって電動送風機の運転の強弱等が切り替えられるようになっている。
なお、以下の説明で各部の方向を言うときには、図２に示す方向を基準とする。
【００１５】
図２に示すように、掃除機本体２の上面には、開閉自在な蓋体２ａが設けられており、蓋体２ａを開くことにより、集塵ケース１０が収容される集塵室となる集塵ケース室２ｂが露出するようになっている。集塵ケース１０は、この集塵ケース室２ｂに対して着脱自在に設けられており、清掃終了後等に定期的に集塵ケース室２ｂから取り出される。そして、集塵ケース１０の内部に捕集された塵埃がごみ箱等に捨てられる。集塵ケース室２ｂは、掃除機本体２の内部の前側に形成され、図示しない電動送風機は、掃除機本体２の内部の後側に配置される。
【００１６】
なお、蓋体２ａは、集塵ケース１０の出し入れ時に開かれ、掃除運転中は、閉じられている。集塵ケース室２ｂに対する集塵ケース１０の着脱方向は、略上下方向であり、集塵ケース室２ｂに集塵ケース１０を収容する際には、集塵ケース１０の後記する開口を塞ぐ閉塞部材としての蓋部材１２が前側に向くようにして集塵ケース室２ｂに挿入する。
【００１７】
集塵ケース室２ｂにおける塵埃吸い込み方向の上流側には、吸込んだ塵埃がホース３（図１参照）を通じて入ってくる本体吸気口２ｃが設けられている。
また、集塵ケース室２ｂの下流側には、集塵ケース室２ｂと電動送風機が配置される図示しない電動送風機室とを区画する図示しない区画壁が形成され、この区画壁に、集塵ケース１０の後記するフィルター部材１５（図４（ａ）参照）が対向している。
【００１８】
図３に示すように、集塵ケース１０は、ケースとしての筒状のケース部材１１と、このケース部材１１の前部に回動可能に設けられた蓋部材１２とを備え、ケース部材１１の内部に、空気と塵埃とを分離するメッシュ状のフィルター２０ａ（図４（ａ）参照）を有する塵埃収容器２０（図４（ａ）参照）を備えている。また、ケース部材１１の後部にフィルター部材１５（図４（ａ）参照）が設けられている。ケース部材１１の前部開口は、蓋部材１２によって閉塞され、ケース部材１１の後部開口は、フィルター部材１５（図４（ａ）参照）によって閉塞される。
なお、フィルター部材１５の前方において、ケース部材１１の側面には、清掃用ブラシ１１Ａが取り付け取り外し可能に装着されている。
【００１９】
ケース部材１１の上面前端には、図３に示すように、蓋開き解除用の操作ボタン１３が設けられている。操作ボタン１３は、略中央部において左右に突設された図示しない支軸部を支点として揺動可能に設けられており、後端に設けられた押圧操作部１３ａを指で押すことにより、前端側に設けられたフック部１３ｂ（図４（ａ）参照）が蓋部材１２の前面上端に設けられた係止部１２ｅ（図４（ａ）参照）から外れて、蓋部材１２が開くようになっている。なお、図４（ａ）に示すように、フック部１３ｂの鈎部先端は後方へ向けて延びており、一方、係止部１２ｅにはこの鈎部先端が入り込む溝が前方へ向けて開口している。したがって、フック部１３ｂの鈎部先端と係止部１２ｅの溝とが相互に対向する位置関係、つまり、フック部１３ｂに係止部１２ｅが近づいた位置関係となって、これらが相互に対向する位置関係となることで、フック部１３ｂが係止部１２ｅに係止されることとなる。
【００２０】
このような操作ボタン１３の前端上面には、図４（ａ）に示すように、凸状の係合リブ１３ｃが設けられている。この係合リブ１３ｃは、蓋部材１２に回動自在に設けられたシャッター体１４の枠部１４ａに係合可能である。
また、操作ボタン１３の後方には、集塵ケース１０を把持するためのハンドル１６が設けられている。
【００２１】
蓋部材１２は、ケース部材１１の前端下部に設けられたヒンジ部１１ａ周りに、蓋部材１２の一端部側となる下端部側を中心として回動可能に設けられ、これとは反対側となる蓋部材１２の他端部側となる上端部側が、ケース部材１１の対向する上端部に係止されることによって、ケース部材１１に対して閉じた状態に保持されるようになっている。そして、ケース部材１１に設けられた操作ボタン１３を操作することによって、前方へ倒れるようにして回動し、ケース部材１１の前部開口を開くようになっている。
ここで、蓋部材１２は、側面視で略Ｌ字形状の可撓性、弾性を有するヒンジ部材１１ａ’を介してヒンジ部１１ａに連結されており、ケース部材１１の開口に対して柔軟に位置調整可能に支持されている。
蓋部材１２は、塵埃収容器２０に装着された後記するばね部材３０（図１０参照、以下同じ）の作用により、内部に収容される塵埃収容器２０に押圧されるようにして開く方向に付勢されている。そして、蓋部材１２が開かれた状態では、ケース部材１１の前部開口を通じて、塵埃収容器２０が突出するようになっている。
なお、ケース部材１１の前部開口から塵埃収容器２０が突出した状態で、塵埃収容器２０の後部側は、集塵ケース１０内に位置している。ただし、前部開口から塵埃収容器２０が突出した状態で、塵埃収容器２０の後部側も、集塵ケース１０外に位置していてもよい。つまり、発明の目的を阻害しない範囲で、塵埃収容器２０の略全体が集塵ケース１０外に位置していてもよい。
【００２２】
シャッター体１４は、図３に示すように、蓋部材１２の流入口１２ａの上方に配置され、図２に示すように、掃除機本体２の集塵ケース室２ｂに集塵ケース１０が収容された状態では、突部１４ｂが押圧されることにより、後方へ移動して枠部１４ａが操作ボタン１３の前端上方に位置するように構成されている。これによって、集塵ケース１０を掃除機本体２から取り出す際にハンドル１６を把持する手で誤って押圧操作部１３ａが押圧操作されても、係合リブ１３ｃがシャッター体１４の枠部１４ａに係合し、操作ボタン１３の揺動が規制される。これにより、前記したフック部１３ｂと係止部１２ｅとの係合が維持される。したがって、集塵ケース１０を掃除機本体２から取り出す際に不意に蓋部材１２が開くことが防止されている。ただし、シャッター体１４は、必須の構成ではない。
【００２３】
蓋部材１２の上縁部には、図３〜図６に示すように、左右方向に間隔を隔てて舌片状の延設部２７が一対形成されている。延設部２７は、平面視で略四角形状とされており（図６参照）、蓋部材１２に一体的に形成されている。一対の延設部２７は、図４（ｂ）に示すように、蓋部材１２からケース部材１１の開口の縁１１ｅの外周面１１ｆに向けてそれぞれ延設されており、ケース部材１１の開口の縁１１ｅや縁１１ｅの外周面１１ｆに接触する端面２７ａが下部に形成されている。
端面２７ａは、ケース部材１１の開口面に垂直な方向に対して、蓋部材１２側からケース部材１１の開口の縁１１ｅの外周面１１ｆ側に向けて傾斜しており、ケース部材１１の開口の縁１１ｅに乗り上げ易くなっている。
なお、延設部２７に対向しているケース部材１１の開口の縁１１ｅの外周面１１ｆは、図４（ｂ）に示すように、延設部２７が係止され易い平らな面とされている。
【００２４】
このような延設部２７は、蓋部材１２がケース部材１１に対して閉じられる際に、対向するケース部材１１の開口の縁１１ｅに当接しつつ、開口の縁１１ｅの外周面１１ｆにかけて接触するようになっており、このような接触によってケース部材１１に対する蓋部材１２のズレを規制するようになっている。つまり、蓋部材１２は、ケース部材１１に対して閉じられる際に、蓋部材１２の他端部側となる上端部側がケース部材１１の開口断面の外周側へ（押圧操作部１３ａのフック部１３ｂと蓋部材１２の係止部１２ｅとの係止が深まる方向に）変位するのをガイドする（ガイドする手段）役割をなす。係止時の作用の詳細は後記する。
【００２５】
蓋部材１２の中央部に開口形成された流入口１２ａは、ホース３（図１参照）に連通しており、この流入口１２ａを通じて、塵埃を含む空気が集塵ケース１０内に流れ込むようになっている。
なお、流入口１２ａには、図３、図５に示すように、その後端開口を閉塞する逆止弁１２ｂが設けられている。逆止弁１２ｂは、合成ゴムなどの弾性材料からなるのが好ましい。逆止弁１２ｂは、塵埃収容器２０に堆積した塵埃が、流入口１２ａからこぼれ落ちないように流入口１２ａの開口を閉塞する。そして、流入口１２ａから空気が流入していない状態では、逆止弁１２ｂが流入口１２ａの開口を閉じた状態にあり、流入口１２ａから空気が流入する状態では、風圧によって逆止弁１２ｂが弾性力に逆らって下流側、つまり集塵ケース１０の内部側へ弾性変形する。これによって、流入口１２ａから空気が流入する状態では、流入口１２ａが開かれる。
【００２６】
塵埃収容器（集塵かご）２０は、図４（ａ）に示すように、ケース部材１１内に配置され、大きめの粗塵を捕集するメッシュ状のフィルター２０ａを有している。塵埃収容器２０の形状は、枠体（支骨）によって形成され、フィルター２０ａは、金属やナイロンなどで構成され、塵埃収容器２０の開口以外の面に被覆または貼着されているのが好ましい。  塵埃収容器２０は、前側が開口し奥側が閉じられる容器状を呈しており（空気の流れ方向の上流側が開口し、下流側が閉じられた形状を呈しており）、蓋部材１２の流入口１２ａ側に開口が向けられて、流入口１２ａから流入してくる塵埃を捕集するようになっている。
塵埃収容器２０は、流入口１２ａが形成された側とは反対側へ凹んだ立体的形状を有し、図７、図８に示すように、下側壁部２１と、後側壁部２２と、左側壁部２３と、右側壁部２４と、上側壁部２５とを備えている。塵埃収容器２０の形状は、一つの面が開口したかご形状，立体的形状，箱形状または容器形状であってもよいし、ちりとり形状であってもよい。塵埃収容器２０の断面形状は、略四角形状であってもよいし、略円形状であってもよいし、略三角形状であってもよい。塵埃収容器２０の断面形状は、開口面から底面へ向って、小さくなるのが好ましい。本実施形態では、これらの壁部のうち、上側壁部２５が、隣接する後側壁部２２の上辺部を支点として回動自在に設けられており、ケース部材１１の開口部１１ｂ（図７参照）から塵埃収容器２０が突出した状態で、上方向に向けて上側壁部２５が開くように構成されている。また、相対的に下側壁部２１、後側壁部２２、左側壁部２３および右側壁部２４が、下方向に向けて開くように構成されている。ここで、上側壁部２５の回動支点に、後側壁部２２に対して上側壁部２５が開く方向に付勢するばね部材を設けてもよい。
なお、塵埃収容器２０は、集塵ケース１０に収め戻されることで、下方向に向けて上側壁部２５が閉じるように構成されている。
【００２７】
なお、上側壁部２５は、図７に示すように、塵埃収容器２０において、回動支点（支軸２１ａ）が設けられる側と対向する側に位置している。
そして、塵埃収容器２０は、ケース部材１１の底面に装着される基部２６（図８参照）を有しており、この基部２６と下側壁部２１との間に装着されたばね部材３０（図１０参照、以下同じ）を介して基部２６に回動可能に支持されている。ばね部材３０は、塵埃収容器２０をケース部材１１の開口部１１ｂ（図７参照）に向けて押し出す方向に付勢する。ただし、ばね部材３０は必須の構成ではない。ばね部材３０がない場合は、重力によって塵埃収容器２０がケース部材１１から突出することとなる。
なお、下側壁部２１は、図８に示すように、下側壁部２１の左右下部に設けられた支軸２１ａ，２１ａが基部２６の左右側部２６ａ，２６ａに設けられた支持孔２６ｂ，２６ｂ（一方のみ図示）に軸支されることで、基部２６に対して回動自在に設けられている。
【００２８】
このような塵埃収容器２０は、基部２６と一体的にケース部材１１から取り外すことができる。したがって、簡単に清掃することができる。また、塵埃収容器２０を水洗いしたい場合も、ケース部材１１から取り外した状態で簡単に水洗いが可能で、乾燥する時間も比較的短時間で済む。
【００２９】
下側壁部２１、後側壁部２２、左側壁部２３および右側壁部２４は、図８に示すように、一体的に連結されて塵埃収容器２０の一部を構成しており、これらが連結されることによって前面側および上面側（上側壁部２５が設けられる側）の２面が開口された収容器を構成している。
上側壁部２５における後辺部２５ｃの左右側部には、それぞれの側方へ向けて支軸２５ｂ，２５ｂが突設されている。一方、隣接する後側壁部２２の左右上端部には、受け部２２ｂ，２２ｂが立設されており、この受け部２２ｂ，２２ｂに支軸２５ｂ，２５ｂが支持されて、後側壁部２２の上辺部周りに上側壁部２５が回動自在に設けられている。
【００３０】
上側壁部２５の後辺部２５ｃには、図４（ａ）に示すように、斜め前方へ向けて規制ストッパ２５ａが突設されている。この規制ストッパ２５ａは、図１０に示すように、ケース部材１１の上部内壁に設けられた規制部１１ｄに当接するようになっている。つまり、塵埃収容器２０が押し出されるときの、規制ストッパ２５ａの回動軌跡に規制部１１ｄが位置している。
【００３１】
これによって、塵埃収容器２０がばね部材３０の付勢力によって突き出される方向に回動すると、図１０に示すように、規制ストッパ２５ａが規制部１１ｄに当接して回動が規制され、最終的には、上側壁部２５が隣接する後側壁部２２の上辺部を支点として（上側壁部２５の後辺部２５ｃを支点として、図８参照）、上方向に開く状態となりつつ回動が規制される。つまり、塵埃収容器２０は、塵埃を捕集するときの空気の流れの方向とは逆の方向に回動されて（突き出されて）開かれるようになっており、これによって、塵埃収容器２０内に捕集された塵埃をごみ箱等に容易に捨てることができるようになっている。
【００３２】
なお、塵埃収容器２０は、ばね部材３０の付勢力によって突き出される際に、蓋部材１２を内側から押圧して押し開けるようになっている。つまり、操作ボタン１３を押圧操作するという一つの操作で、蓋部材１２を開くことと塵埃収容器２０の突き出しとを並行して行うことができる。ばね部材３０の付勢力によって、例えば、塵埃収容器２０が水平方向に保持された状態でも、操作ボタン１３を押圧操作するという一つの操作で、蓋部材１２を開くことができる。
【００３３】
図１０に示すように、ケース部材１１の後部に設けられたフィルター部材１５は、例えば、波形のプリーツ加工された図示しないフィルターを備えており、ケース部材１１の下部に設けられたヒンジ１５ａによりケース部材１１に対して開閉自在に設けられている。通常、フィルター部材１５は、ケース部材１１の上部に設けられた係止部１７のフック１７ａによって閉状態に係止されている。
このフィルター部材１５は、塵埃収容器２０を通過した細かな微細塵を濾過捕集する第２のフィルターとして機能するようになっている。よって、塵埃収容器２０のフィルター２０ａの目開きは、フィルター部材１５のフィルターの目開きよりも粗い（大きい）。
【００３４】
ここで、塵埃収容器２０で捕集された綿ごみなどの軽くてフワフワした繊維塵は、塵埃収容器２０を通過する空気流により、圧縮された固まりとなり易い。また塵埃収容器２０内で圧縮されて固まりとなった繊維塵により、塵埃収容器２０に流入した微細な塵埃の一部も捕集される。これらの圧縮された塵埃の固まりは、電気掃除機１（図１）の運転を停止すると空気流による圧縮力がなくなり、圧縮された塵埃の固まりが広がり、塵埃の固まりの体積が大きくなる。
しかし、塵埃収容器２０はその開口に向って広がっており、しかも溜まった塵埃を捨てる際に、図１０に示すように、開口を拡げるように開放するので、塵埃収容器２０に収容した圧縮された塵埃の固まりが広がった場合でも容易に排出することができる。
この際、塵埃収容器２０に吸引された塵埃は空気流により、圧縮された固まりとなり易く、塵埃収容器２０から開口を通じて排出する際も固まり状となって排出されるので、塵埃収容器２０に設けたメッシュ状のフィルター２０ａには、塵埃の付着や絡み付きが少なく、目詰まりが生じにくい。このため、塵埃収容器２０に溜まった塵埃を捨てるだけで、フィルター２０ａの除塵の手間を防ぐことができる。
【００３５】
次に、塵埃収容器２０に捕集した塵埃を捨て、その後、蓋部材１２を閉じて集塵ケース１０を掃除機本体２内に収容する際の作用について各図を適宜参照して説明する。
まず、塵埃をごみ箱等に捨てる際には、集塵ケース１０のハンドル１６を把持して掃除機本体２の集塵ケース室２ｂから集塵ケース１０を取り出し、操作ボタン１３の押圧操作部１３ａ（図３参照）を押圧操作する。
そうすると、フック部１３ｂが蓋部材１２の係止部１２ｅから外れ、図７、図９、図１０に示すように、蓋部材１２が開かれる。このとき、蓋部材１２は、ばね部材３０（図１０参照、以下同じ）により付勢された塵埃収容器２０によって前方へ押圧され、ヒンジ部１１ａを中心として回動して開く。これとともに、ばね部材３０によって前方へ突き出された塵埃収容器２０は、規制ストッパ２５ａが規制部１１ｄ（図４（ａ）参照）に当接して回動が規制されるとともに、上側壁部２５が、隣接する後側壁部２２の上辺部を支点として回動し、ケース部材１１から塵埃収容器２０が突出した状態で、上方向に向けて上側壁部２５が開かれるとともに、下方向に向けて上側壁部２５を除く各側壁部が一体となって開かれる。これによって、塵埃収容器２０の内側に捕集された塵埃が前方に放り出され、塵埃が排出される。
【００３６】
その後、ヒンジ部１１ａを中心として蓋部材１２を回動させ、蓋部材１２をケース部材１１に閉じる。そうすると、図１１（ａ）に示すように、蓋部材１２の他端部側がケース部材１１の開口に近づき、図１１（ｂ）に示すように、蓋部材１２がケース部材１１に閉じられる直前に、蓋部材１２の延設部２７の端面２７ａがケース部材１１の開口の縁１１ｅに接触する。
この状態から、蓋部材１２をさらに閉じると、図１１（ｃ）に示すように、延設部２７は、ケース部材１１の開口の縁１１ｅから外周面１１ｆ上に乗り上げる（外周側へ変位する）ようにして移動し、外周面１１ｆ上に係止される。この係止により、蓋部材１２には、これを上方向（図１１（ｃ）中矢印Ｘ１方向）に引き上げる力が作用する。
ここで、蓋部材１２は弾性を有するヒンジ部材１１ａ’（図４（ａ）参照、以下同じ）で支持されているので、このような係止に伴う引き上げ力に対して柔軟に対応できるように構成されており、蓋部材１２は、ケース部材１１に対して若干上方向に位置調整されてケース部材１１の開口に閉じられることとなる（図４（ａ）参照）。
なお、延設部２７の端面２７ａは、図４（ｂ）に示すように、ケース部材１１の開口面に垂直な方向に対して、蓋部材１２側からケース部材１１の開口の縁１１ｅの外周面１１ｆ側に向けて傾斜しているので、延設部２７が外周面１１ｆ上に乗り上げる際に、蓋部材１２は、徐々に上方向（図１１（ｃ）中矢印Ｘ１方向、操作ボタン１３（図４（ａ）参照）が設けられる方向）に引き上げられて位置調整されることとなる。
【００３７】
このように蓋部材１２が位置調整されると、蓋部材１２の他端部側に設けられる係止部１２ｅ（図４（ａ）参照、以下同じ）が、操作ボタン１３のフック部１３ｂ（図４（ａ）参照、以下同じ）に近づけられる状態となり、その結果、係止部１２ｅにフック部１３ｂが入り込み易くなる。これによって、係止部１２ｅにフック部１３ｂが確実に係止されるようになる。
その後、ハンドル１６を把持して、集塵ケース１０を掃除機本体１の集塵ケース室２ｂに装着して、蓋体２ａを閉じる。
【００３８】
ここで、蓋部材１２を閉じる際に、塵埃収容器２０の内側にティッシュペーパー等の使い捨て式の集塵濾紙を配置してもよい。ティッシュペーパー等は、集塵ケース１０を掃除機本体２に取り付ける前に、蓋部材１２を開けた状態で塵埃収容器２０内に装着する。なお、ティッシュペーパーは、使い捨て式の集塵濾紙に相当し、例えば、コンビニエンスストア等で日用品として販売されているものでよい。
【００３９】
塵埃収容器２０内にティッシュペーパー等を装着して、蓋部材１２をケース部材１１に閉じると、蓋部材１２のヒンジ部材１１ａ’の弾性により、ティッシュペーパー等が装着された分の厚さが吸収されるようにして、蓋部材１２がケース部材１１に閉じられる。
この場合にも、前記と同様にして、ケース部材１１に対して蓋部材１２が上方向に位置調整され、蓋部材１２の他端部側に設けられた係止部１２ｅが、操作ボタン１３のフック部１３ｂに近づけられる。これによって、塵埃収容器２０内にティッシュペーパー等を装着した場合にも、係止部１２ｅにフック部１３ｂを確実に係止することができる。
【００４０】
以下に本実施形態の作用効果について説明する。
（１）本実施形態の電気掃除機１によれば、ケース部材１１に対して蓋部材１２が閉じられる際に、蓋部材１２の他端部側に設けられる係止部１２ｅが、操作ボタン１３のフック部１３ｂに近づけられ、係止部１２ｅにフック部１３ｂが確実に係止される。したがって、蓋部材１２がケース部材１１に対して確実に閉じられるようになり、ケース部材１１に対して蓋部材１２が不意に開いてしまうことが好適に防止される。これにより、使い勝手のよい電気掃除機１が得られる。
（２）蓋部材１２に延設部２７を設けるという簡単な構成で、蓋部材１２がケース部材１１に対して確実に閉じられるようになるので、従来の集塵ケースに比べて構成の変更点が少なく、安価で実現可能である。
（３）延設部２７は、蓋部材１２がケース部材１１に対して閉じられる際に、ケース部材１１の開口の縁１１ｅまたはケース部材１１の開口の縁１１ｅの外周面１１ｆに接触するようになっているので、蓋部材１２を閉じる通常の操作中に、蓋部材１２の位置調整（上方向への位置調整）を合わせて行うことができ、位置調整のための特別な操作を必要とせず、使い勝手がよい。
（４）延設部２７の端面２７ａは、ケース部材１１の開口面に垂直な方向に対して、蓋部材１２側からケース部材１１の開口の縁１１ｅの外周面１１ｆ側に向けて傾斜しているので、ケース部材１１の開口の縁１１ｅに当接した後、蓋部材１２を閉じる操作で延設部２７が外周面１１ｆ上に乗り上げるように導かれる。したがって、ケース部材１１に対して蓋部材１２をスムーズに閉じることができる。これにより、使い勝手のよい電気掃除機１が得られる。
【００４１】
前記実施形態では、延設部２７を平面視で略四角形状に形成したが、これに限られることはなく、蓋部材１２の他端部側に設けられる係止部１２ｅが、操作ボタン１３のフック部１３ｂに近づけられるように蓋部材１２が位置調整されるものであれば、平面視略三角形状、平面視略半円形状等、任意の形状を採用することができる。
また、延設部２７は、左右方向に間隔を空けて一対設けたが、左右のいずれかの側に１つのみ設けてもよく、また、左右方向に間隔を空けて３つ以上設けてもよい。また、図１２（ａ）に示すように、片側に２つずつ、両側で計４つ設けてもよい。
さらに、図１２（ｂ）に示すように、左右方向に連続した長片２７Ａとして延設部を形成してもよい。
【００４２】
また、図１３（ａ）に示すように、蓋部材１２の左右側縁部からケース部材１１の開口の縁１１ｅ（不図示）または開口の縁１１ｅ（不図示）の外周面１１ｆに向けて、前記した延設部２７と同様の延設部２７Bを設けてもよい。このような延設部２７Ｂを設けることによって、ケース部材１１に対する蓋部材１２の左右方向の位置調整を行うことができ、前記した延設部２７による作用と相俟って、係止部１２ｅ（図４（ａ）参照）にフック部１３ｂ（図４（ａ）参照）がより確実に係止されるようになる。したがって、蓋部材１２がケース部材１１に対して確実に閉じられるようになり、ケース部材１１に対して蓋部材１２が不意に開いてしまうことがより一層好適に防止される。これにより、使い勝手のよい電気掃除機１が得られる。
【００４３】
また、蓋部材１２の他端部側の外周面に、凹部または凸部または段差部を形成し、ケース部材１１に、これらの凹部または凸部または段差部に向けて係合部を延設し、凹部または凸部または段差部に対してこの係合部が係合されることによって、蓋部材１２の他端部側がケース部材１１に係止されるように構成してもよい。
図１３（ｂ）に示す例は、このうち、蓋部材１２の他端部側の外周面に、凹部４０を形成し、ケース部材１１に、凹部４０に向けて係合部４１を延設したものであり、凹部４０に対して係合部４１が係合されることによって蓋部材１２の他端部側がケース部材１１に係止されるように構成したものである。
このように構成することによっても、ケース部材１１に対する蓋部材１２の左右方向の位置調整を行うことができ、前記した延設部２７による作用と相俟って、係止部１２ｅ（図４（ａ）参照）にフック部１３ｂ（図４（ａ）参照）がより確実に係止されるようになる。
【００４４】
また、図１４（ａ）に示すように、延設部２７Ｃの先端下部を面取りして、ケース部材１１の開口の縁１１ｅに当接する先端面２８を形成してもよい。
このような先端面２８を形成することによっても、開口の縁１１ｅに先端面２８が接触した後に蓋部材１２がさらに閉じられると、蓋部材１２のヒンジ部材１１ａ’（図４（ａ）参照、以下同じ）の弾性によって、延設部２７Ｃが開口の縁１１ｅから外周面１１ｆ上に乗り上げるようにして係止され、ケース部材１１に対して蓋部材１２が上方向に位置調整される。これによって、前記と同様にして、蓋部材１２の他端部側に設けられた係止部１２ｅ（図４（ａ）参照、以下同じ）が、操作ボタン１３のフック部１３ｂ（図４（ａ）参照、以下同じ）に近づけられ、係止部１２ｅにフック部１３ｂが確実に係止されて、蓋部材１２が不意に開いてしまうことが好適に防止される。
【００４５】
また、図１４（ｂ）に示すように、ケース部材１１の開口の縁を面取りして、傾斜状の案内面２９をケース部材１１側に形成するように構成してもよい。
このような案内面２９を形成することによっても、延設部２７の先端部が案内面２９に接触した後に蓋部材１２がさらに閉じられると、蓋部材１２のヒンジ部材１１ａ’の弾性によって、延設部２７が案内面２９から外周面１１ｆ上に乗り上げるようにして係止され、ケース部材１１に対して蓋部材１２が上方向に位置調整される。これによって、前記と同様にして、蓋部材１２の他端部側に設けられた係止部１２ｅが、操作ボタン１３のフック部１３ｂに近づけられ、係止部１２ｅにフック部１３ｂが確実に係止されて、蓋部材１２が不意に開いてしまうことが好適に防止される。
【００４６】
図１４（ｃ）に示す例では、ケース部材１１の開口の縁１１ｅ側から蓋部材１２の縁に形成された凹部２７Ｄに向けてケース側延設部２９Ａが延設されており、このケース側延設部２９Ａは、蓋部材１２がケース部材１１に対して閉じられる際に蓋部材１２の凹部２７Ｄに接触するように構成されている。
ケース側延設部２９Ａは、上面２９ａが蓋部材１２に向けて下り傾斜状とされており、この上面２９ａで凹部２７Ｄの内面２７ｄを案内することで、蓋部材１２に対して上方向（図１４（ｃ）中矢印Ｘ１方向）に引き上げる力が作用するように構成されている。
凹部２７Ｄの内面２７ｄは、ケース側延設部２９Ａの上面２９ａに対応する傾斜面（ケース部材１１に向けて上り傾斜状とされた面）を有している。
【００４７】
このような構成によれば、蓋部材１２がケース部材１１に閉じられる直前に、蓋部材１２の凹部２７Ｄにおける内面２７ｄの先端部２７ｅが、ケース部材１１のケース側延設部２９Ａの上面２９ａに接触する。
そして、この状態から、蓋部材１２をさらに閉じると、図１４（ｃ）に二点鎖線で示すように、凹部２７Ｄの先端部２７ｅが、ケース側延設部２９Ａの上面２９ａをケース部材１１に向けて移動し、ケース側延設部２９Ａの基端側付近で係止される。この係止により、蓋部材１２には、これを上方向（図１４（ｃ）中矢印Ｘ１方向）に引き上げる力が作用し、ケース部材１１に対して蓋部材１２が上方向に位置調整される。これによって、前記と同様にして、蓋部材１２の他端部側に設けられた係止部１２ｅが、操作ボタン１３のフック部１３ｂに近づけられ、係止部１２ｅにフック部１３ｂが確実に係止されて、蓋部材１２が不意に開いてしまうことが好適に防止される。
【００４８】
以上本発明の電気掃除機１について説明したが、本発明は前記実施形態や変形例に限られることはなく適宜変更して実施可能である。
【００４９】
本発明は、塵埃収容器２０を備えない集塵ケース１０にも利用できる。
また、前記実施形態では、延設部２７に傾斜状の端面２７ａを形成したが、端面２７ａは必ずしも設けなくてもよく、延設部２７の先端部をアール状等に形成して、ケース部材１１の開口の縁１１ｅから外周面１１ｆに乗り上げ可能に構成してもよい。
【符号の説明】
【００５０】
１      電気掃除機
２      掃除機本体
１０    集塵ケース
１１    ケース部材
１１ｅ  開口の縁（ガイドする手段）
１１ｆ  外周面
１２    蓋部材
１２ｅ  係止部
１３    操作ボタン
１３ｂ  フック部
２０    塵埃収容器
２７    延設部（ガイドする手段）
２７ａ  端面（ガイドする手段）
２７Ａ  長片
２７Ｂ，２７Ｃ  延設部
２７Ｄ  凹部
２９Ａ  ケース側延設部
４０    凹部
４１    係合部
【図１】
0005541995.tif 000002
【図２】
0005541995.tif 000003
【図３】
0005541995.tif 000004
【図４】
0005541995.tif 000005
【図５】
0005541995.tif 000006
【図６】
0005541995.tif 000007
【図７】
0005541995.tif 000008
【図８】
0005541995.tif 000009
【図９】
0005541995.tif 000010
【図１０】
0005541995.tif 000011
【図１１】
0005541995.tif 000012
【図１２】
0005541995.tif 000013
【図１３】
0005541995.tif 000014
【図１４】
0005541995.tif 000015